(57)【要約】【課題】一つのテレビジョン放送に含まれた複数のアングル映像を異なる視野角で個別に表示する際に同期をとることのできるテレビジョン受像機を提供すること。【解決手段】制御回路１０からの指示に従って，デジタルチューナ２で受信された一のテレビジョン放送から，表示内容を複数の視点から捉えた複数のアングル映像を抽出し，その複数のアングル映像のうちの２つのアングル映像を出力する映像処理回路６と，その２つのアングル映像を異なる視野角で個別に表示する液晶表示装置８とを備えて構成されるテレビジョン受像機において，複数の前記アングル映像を同期させて表示させることを特徴とするテレビジョン受像機として構成される。具体的には，前記制御回路１０が，複数の前記アングル映像各々に含まれた表示タイミングを示すタイムスタンプ情報に基づいて該複数の前記アングル映像を同期させるように制御する。【選択図】図１
2008022110.tif 000002
【特許請求の範囲】
【請求項１】
複数の映像を異なる複数の視野角で個別に表示する複数視野角表示手段と，テレビジョン放送を受信するテレビジョン放送受信手段と，
前記テレビジョン放送受信手段で受信された一のテレビジョン放送から，該テレビジョン放送の表示内容を複数の視点から捉えた複数のアングル映像を抽出するマルチアングル映像抽出手段と，
前記マルチアングル映像抽出手段によって抽出された複数の前記アングル映像のうち少なくとも２つ以上のアングル映像を前記複数視野角表示手段に表示させるマルチアングル表示制御手段と，
を備えてなるテレビジョン受像機であって，
前記マルチアングル表示制御手段が，複数の前記アングル映像を同期させて表示させる同期表示手段を含んでなることを特徴とするテレビジョン受像機。
【請求項２】
前記同期表示手段が，複数の前記アングル映像各々に含まれた表示タイミングを示すタイムスタンプ情報に基づいて該複数の前記アングル映像を同期させて表示させてなる請求項１に記載のテレビジョン受像機。
【請求項３】
前記テレビジョン放送受信手段により受信されたテレビジョン放送に複数の前記アングル映像が含まれている場合に，その旨を表示する映像種別表示手段と，
を更に備えてなる請求項１又は２のいずれかに記載のテレビジョン受像機。
【請求項４】
前記マルチアングル表示制御手段が，複数の前記アングル映像のいずれか一を表示するシングル表示モードと，前記複数視野角表示手段により複数の前記アングル映像のうち少なくとも２つ以上のアングル映像を表示する複数表示モードとを切り替える表示切替手段を含んでなる請求項１〜３のいずれかに記載のテレビジョン受像機。
【発明の詳細な説明】
【技術分野】
【０００１】
本発明は，テレビジョン放送を受信するテレビジョン受像機に関し，特に，二つの映像を異なる視野角で個別に表示する所謂デュアルビュー表示が可能なテレビジョン受像機に関するものである。
【背景技術】
【０００２】
従来から，二つの映像を一画面に同時に表示する機能を有するテレビジョン受像機がある。例えば，表示画面を左右に二分割し，一方にチャンネルＡの映像を表示し，他方にチャンネルＢの映像を表示する所謂マルチ画面表示機能が周知である。このマルチ画面表示機能を利用すれば，表示内容を複数の異なる視点から捉えた複数のアングル映像を含むマルチアングル映像を，一画面に表示することができる（例えば，特許文献１参照）。
特許文献１では，ＤＶＤに記録されたマルチアングル映像に含まれた二つのアングル映像を，表示画面を左右に二分割して表示することが示されている。
一方，二つの映像を異なる視野角で個別に表示する所謂デュアルビュー表示が可能な液晶表示装置が知られている（例えば，特許文献２参照）。
【０００３】
ところで，テレビジョン放送のデジタル化に伴って，今後，一つのテレビジョン放送に複数のアングル映像が含まれることが考えられる。例えば，サッカーやボクシングなどのスポーツ番組に，各々のチームの視点で捉えた二つのアングル映像が含まれて放送されることが考えられる。このような場合，テレビジョン受像機において，その二つのアングル映像を同時に表示することができれば，複数の視聴者が同時に，自分の応援する側の視点で見ることができる。
しかしながら，一つのテレビジョン放送に含まれた複数のアングル映像を，前記マルチ画面表示機能を用いて表示すると，表示画面を二分割する必要があるため，ぞれぞれのアングル映像の表示サイズが小さくなるという問題がある。また，自分の見たいアングル映像だけではなく，見たくないアングル映像も必然的に見えるため，臨場感に欠けるという問題もある。
そこで，一つのテレビジョン放送に含まれた二つのアングル映像を異なる視野角で個別に表示すること，即ちデュアルビュー表示することが考えられる。これにより，一つのテレビジョン放送に含まれた二つのアングル映像を異なる視野角で個別に表示させることができるため，該アングル映像各々の表示サイズを縮小することなく，また，複数の視聴者各々が自分の見たいアングル映像だけを画面全体で見ることができる。例えば，ボクシングの番組を見るときに，二人の視聴者各々が異なるボクサーサイド側から見た映像を画面全体で見ることができる（図５参照）。
【特許文献１】特開平１１―５５５８９号公報
【特許文献２】特開２００５−２５８０１６号公報
【発明の開示】
【発明が解決しようとする課題】
【０００４】
しかしながら，前記デュアルビュー表示する二つの映像が時間的に同期していなければ，異なる映像を見る視聴者各々が異なる時点における放送番組を見ることになるという問題が生じる。
従って，本発明は上記事情に鑑みてなされたものであり，その目的とするところは，一つのテレビジョン放送に含まれた複数のアングル映像を異なる視野角で個別に表示する際に同期をとることのできるテレビジョン受像機を提供することにある。
【課題を解決するための手段】
【０００５】
上記目的を達成するために本発明は，複数の映像を異なる複数の視野角で個別に表示する複数視野角表示手段と，テレビジョン放送を受信するテレビジョン放送受信手段と，を備えてなり，前記テレビジョン放送受信手段で受信された一のテレビジョン放送から，該テレビジョン放送の表示内容を複数の視点から捉えた複数のアングル映像を抽出し，その抽出された複数の前記アングル映像のうち少なくとも２つ以上のアングル映像を前記複数視野角表示手段に表示させるテレビジョン受像機に適用されるものであって，複数の前記アングル映像を同期させて表示させることを特徴とするテレビジョン受像機として構成される。
具体的には，複数の前記アングル映像各々に含まれた表示タイミングを示すタイムスタンプ情報に基づいて該複数の前記アングル映像を同期させることが可能である。
本発明によれば，前記複数視野角表示手段に表示された複数の映像を見る複数の視聴者が，同じ時点におけるテレビジョン放送を同時に視聴することができる。
【０００６】
また，前記テレビジョン放送受信手段により受信されたテレビジョン放送に複数の前記アングル映像が含まれている場合には，その旨を表示することで，該テレビジョン放送がマルチアングル映像であることを視聴者に認知させることができる。
なお，複数の前記アングル映像のいずれか一を表示するシングル表示モードと，前記複数視野角表示手段により複数の前記アングル映像を表示する複数表示モードとの切り替えを行う表示切替手段を設けておくことが望ましい。例えば，視聴者は，前記テレビジョン放送がマルチアングル映像であると認知した場合に，前記表示切替手段によって前記複数表示モードに切り替える。また，前記表示切替手段は，前記テレビジョン放送がマルチアングル映像である場合に，前記複数表示モードに自動的に切り替えるものであってもよい。
【発明の効果】
【０００７】
本発明によれば，前記複数視野角表示手段に表示された複数の映像を見る複数の視聴者が，同じ時点におけるテレビジョン放送を同時に視聴することができる。
また，前記テレビジョン放送受信手段により受信されたテレビジョン放送に複数の前記アングル映像が含まれている場合には，その旨を表示することで，該テレビジョン放送がマルチアングル映像であることを視聴者に認知させることができる。
【発明を実施するための最良の形態】
【０００８】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係るテレビジョン受像機Ｘの概略構成を示すブロック図，図２は前記テレビジョン受像機Ｘに設けられた液晶表示装置８の概略構成を示す模式図，図３は前記テレビジョン受像機Ｘにおけるデュアルビュー表示モードを説明するための図，図４は前記テレビジョン受像機Ｘにおいて実行される映像表示制御処理の手順の一例を説明するためのフローチャート，図５はデュアルビュー表示モードにおける表示の具体例を説明するための図である。
まず，図１に示すブロック図を用いて，本発明の実施形態に係るテレビジョン受像機Ｘの概略構成について説明する。
図１に示すように，テレビジョン受像機Ｘは，デジタルチューナ２（テレビジョン放送受信手段の一例）と，外部入力部３と，映像切替回路４と，デコーダ５と，映像処理回路６と，液晶表示装置８と，リモコン信号受信回路９と，制御回路１０と，音声切替回路１１と，音声処理回路１２と，アンプ１３と，スピーカ１４とを具備して概略構成されている。また，これら以外にも，一般的なテレビジョン受像機が有する構成要素も備えている。
前記制御回路１０は，演算手段であるＭＰＵ，そのＭＰＵによって実行される制御プログラムが予め格納される記憶手段であるＲＯＭ（ＥＰＲＯＭ），ＭＰＵが実行する処理によって書き込まれる設定情報を記憶するＥＥＰＲＯＭ等を備え，当該テレビジョン受像機Ｘ全体を制御するものである。例えば，前記テレビジョン受像機Ｘでは，前記制御回路１０によって後述する映像表示制御処理（図４のフローチャート参照）が実行される。
【０００９】
前記デジタルチューナ２は，ＭＰＥＧなどの形式で放送されたデジタルテレビジョン放送信号を放送受信アンテナ１を介して受信し，前記制御回路１０から指示されたチャンネルの放送信号を抽出（選局）するとともに，その抽出された放送信号に含まれた映像信号を前記映像切替回路４に伝送し，音声信号を前記音声切替回路１１へ伝送するものである。
また，前記外部入力部３は，外部からＩＥＥＥ１３９４規格などに準拠した方式で入力された映像信号を前記映像切替回路４に伝送し，音声信号を前記音声切替回路１１へ伝送するためのインターフェースである。
【００１０】
前記映像切替回路４は，前記デジタルチューナ２から入力される映像信号及び前記外部入力部３から入力される映像信号のうちの任意の１つの映像信号を前記制御回路１０からの指示に従って選択し，選択した映像信号を前記デコーダ５へ伝送するものである。
前記デコーダ５は，前記映像切替回路４から入力された映像信号の復号処理を実行する。このとき，前記デコーダ５では，前記映像信号が示す映像を構成する複数の画像データ各々に付与された画像関連情報の抽出処理が行われる。前記デコーダ５で抽出された画像関連情報は，前記制御回路１０に入力される。
ここに，前記画像関連情報は，前記映像信号に複数のアングル映像が含まれているか否かを示すマルチアングル情報や，該画像関連情報が付与された画像データを表示するタイミングを示すタイミング情報などが含まれる。具体的に，前記タイミング情報は，表示順序や表示時刻，前記映像信号の出力開始からの経過時間など，表示タイミングを示すタイムスタンプ情報（例えば，特開２００５−２８６６９号公報など参照）である。
【００１１】
前記映像処理回路６は，映像信号分離回路６１（マルチアングル映像抽出手段の一例）と，映像メモリ６２，６３と，クロック発生回路６４，出力信号切替回路６５とを有している。
前記映像信号分離回路６１は，前記制御回路１０からの指示に従って，前記デコーダ５から入力される一つのテレビジョン放送の映像信号から該テレビジョン放送の表示内容を複数の視点から捉えた複数のアングル映像を抽出する機能を有している。この機能によって前記映像信号から複数のアングル映像が抽出された場合には，前記映像信号分離回路６１では，前記制御回路１０からの指示に従って，該複数のアングル映像のうちのいずれか二つのアングル映像が前記映像メモリ６２，６３に出力される。
一方，前記映像信号から複数のアングル映像が抽出されない場合には，該映像信号が前記映像信号分離回路６１から前記映像メモリ６２，６３の両方に出力される。前記映像メモリ６２，６３は，前記映像信号分離回路６１から入力された映像信号を記憶する。
【００１２】
前記クロック発生回路６４は，前記出力信号切換スイッチ６５や，前記液晶表示装置８に設けられた後述のゲートドライバ８３に入力するクロック信号を生成するものである。
前記出力信号切換スイッチ６５は，前記クロック発生回路６４から入力されるクロック信号に従って切り替えられることにより，前記映像メモリ６２，６３に記憶された映像信号を一画素ごとに交互に出力する。
前記液晶表示装置８は，前記映像メモリ６２，６３から前記出力信号切換スイッチ６５を介して出力された映像信号に基づいて映像を表示するものである。前記液晶表示装置８の詳細については後段で詳説する。
【００１３】
前記リモコン信号受信回路９は，当該テレビジョン受像機Ｘの操作用のリモコン９ａ（遠隔操作器）から，赤外線伝送等の無線伝送によって前記リモコン９ａに対する操作入力情報を取得し，その操作入力情報を前記制御回路１０に伝送するものである。前記リモコン９ａには，チャンネル選択（選局）するためのチャンネル選択キー９ｂや，後述する映像表示制御処理（図４のフローチャート参照）において表示モードを切り替えるための表示モード切替キー９ｃなどが設けられている。
例えば，視聴者によってチャンネル選択（選局）が行われる場合には，前記リモコン９ａのチャンネル選択キー９ｂに対する操作入力情報が，前記リモコン信号受信回路９を通じて前記制御回路１０に入力される。そして，前記制御回路１０は，その操作入力情報に従って，前記デジタルチューナ２に対して選局するチャンネルを指定する。これにより，前記デジタルチューナ２では，前記制御回路１０から指定されたチャンネルの放送番組の信号が抽出されて出力される
【００１４】
前記音声切替回路１１は，前記デジタルチューナ１から入力される音声信号及び前記外部入力部２から入力される音声信号のうちの任意の１つの音声信号（ステレオの場合は１組の音声信号）を，前記制御回路１０からの指示に従って前記音声処理回路１２に伝送するものである。ここで，前記制御回路１０は，前記映像切替回路４から前記デコーダ５へ伝送される映像信号に対応する音声信号が，前記音声切替回路１１から前記音声処理回路１２へ伝送されるように，前記映像切替回路４及び前記音声切替回路１１を制御する。
前記音声処理回路１２は，前記制御回路１０からの指示に従って，前記音声切替回路１１から伝送される音声信号に対して各種信号処理（例えば，イコライズ処理やサラウンド処理等）を行うものである。
前記アンプ１３は，前記音声処理回路１２による処理後の音声信号を，前記制御回路１０からの指示に従って増幅或いは減衰させる処理を行い，処理後の音声信号を前記スピーカ１４へ伝送するものである。そして，前記スピーカ１４では，前記音声信号に基づく音声が再生される。
【００１５】
次に，前記液晶表示装置８について詳説する。
前記液晶表示装置８は，前記出力信号切換スイッチ６５から入力された映像信号に基づいて映像を表示するものであって，図１に示すように，液晶パネル８１と，該液晶パネル８１の液晶素子を制御するソースドライバ８２及びゲートドライバ８３と，前記液晶パネル８１を背後から照明する複数の発光管８４ａ（図２参照）を有するバックライト８４と，を有している。
前述したように，前記ソースドライバ８２には，前記出力信号切換スイッチ６５から出力された映像信号が入力され，前記ゲートドライバ８３には，前記クロック発生回路６４から出力されたクロック信号が入力される。前記液晶表示装置８では，前記ソースドライバ８２及び前記ゲートドライバ８３により，前記映像信号及び前記クロック信号に基づいて前記液晶パネル８１が制御されることにより，該映像信号に基づく映像が前記液晶パネル８１に表示される。
【００１６】
図２に示すように，前記液晶パネル８１は，二枚の偏光板９１と，透明電極層（不図示）及び配向膜（不図示）が形成された二枚のガラス基板９２と，前記ガラス基板９２の間に配置された液晶層９３，カラーフィルタ層９４，透過性アクリル樹脂層９５及び視差バリア層９６と，を有している。
前記視差バリア層９６には，前記バックライト８４からの光を通過させる透光部９６ａ及び前記バックライト８４の光を遮断する遮光部９６ｂが，前記液晶パネル８１の表示画面の横方向の一画素ごとに対応する位置に交互に形成されている。なお，前記透光部９６ａは，透明ガラスや開口によって形成される。
前記液晶表示装置８では，前記視差バリア層９６に透光部９６ａ及び遮光部９６ｂが形成されているため，図２及び図３に示すように，前記液晶表示装置８から見て左斜め前方の位置Ｐ１から前記液晶パネル８１を見た場合には，前記液晶層９３の部位Ａだけが見えて部位Ｂは見えない。一方，図２及び図３に示すように，前記液晶表示装置８から見ての右斜め前方の位置Ｐ２から前記液晶パネル８１を見た場合には，前記液晶層９３の部位Ｂだけが見えて部位Ａは見えない。
したがって，前記液晶表示装置８では，一つの映像を前記部位Ａだけを使用して表示し，他の映像を前記部位Ｂだけを用いて表示することにより，二つの映像を異なる視野角で個別に表示すること（以下，「デュアルビュー表示」という）ができる。ここに，前記液晶表示装置８が複数視野角表示手段の一例である。また，前記部位Ａ，Ｂに同じ映像を表示すれば，視野角にかかわらず該映像をみることができる。以下，二つの映像を前記部位Ａ，Ｂ各々に個別に表示させる状態をデュアルビュー表示モード，一つの映像を前記部位Ａ，Ｂに共に表示させる状態をシングル表示モードという。
【００１７】
以下，図４に示すフローチャートに従って，前記制御回路１０が所定の制御プログラムを実行することにより実現される映像表示制御処理の手順の一例について説明する。なお，以下に示すＳ１，Ｓ２，…は，処理手順（ステップ）の識別記号を表す。
当該映像表示制御処理は，前記シングル表示モードの状態，即ち，前記液晶パネル８１に一つの映像だけが表示された状態から開始される。
ステップＳ１では，前記デジタルチューナ２で受信されたテレビジョン放送のうち，該デジタルチューナ２から前記映像切替回路４を介して前記デコーダ５に出力されている一つの放送番組がマルチアングル映像で構成されているか否か，即ち，該放送番組の映像信号（以下，出力映像信号）に，複数のアングル映像が含まれているか否かが，前記制御回路１０によって判断される。
具体的には，前記デコーダ５に入力された前記出力映像信号に含まれた前記画像関連情報に基づいて判断される。前記したように，前記画像関連情報には，前記出力映像信号に複数のアングル映像が含まれているか否かを示すマルチアングル情報が含まれている。したがって，前記制御回路１０は，前記マルチアングル情報を参照することにより，前記出力映像信号に複数のアングル映像が含まれているか否かを判断することができる。なお，前記放送番組が，マルチアングル映像で構成されているか否かの判断は，例えばＥＰＧ（電子番組表）などに基づいて行ってもかまわない。
【００１８】
前記ステップＳ１において，前記出力映像信号に複数のアングル映像が含まれていないと判断されると（Ｓ１のＮｏ側），前記シングル表示モードの状態が維持されたまま処理はステップＳ１に戻る。
一方，前記放送番組の映像信号に複数のアングル映像が含まれていると判断されると（Ｓ１のＹｅｓ側），処理はステップＳ２に移行する。
ステップＳ２では，前記出力映像信号に複数のアングル映像が含まれている旨を示す情報（以下「映像種別」という）が，前記制御回路１０によって前記液晶表示装置８に表示される。例えば，画面右上端部などに，マルチアングル（Ｍｕｌｔｉ  Ａｎｇｌｅ）の略称として「ＭＡ」を表示することや，デュアルビュー（Ｄｕａｌ  Ｖｉｅｗ）の略称として「ＤＶ」を表示することなどが考えられる。かかる表示処理を実行するときの前記制御回路１０が映像種別表示手段に相当する。
具体的に，前記制御回路１０は，前記映像種別情報を，前記映像信号分離回路６１の出力映像信号にスーパーインポーズすることにより，該映像種別情報を前記液晶表示装置８に表示させる。このように，前記出力映像信号に複数のアングル映像が含まれていることを表示することにより，視聴者に，視聴中の放送番組に複数のアングル映像が含まれていることを認知させることができる。
なお，前記ステップＳ２で開始された前記制御回路１０による前記映像種別情報の表示は，常時行われるものであってもよいが，当該表示が行われてからの所定時間の経過や，視聴者による前記リモコン９ａの操作に応じて終了されてもよい。
【００１９】
そして，続くステップＳ３では，視聴者による前記リモコン９ａの表示モード切替キー９ｃの操作が行われたか否かが前記制御回路１０によって判断される。具体的には，前記表示モード切替キー９ｃの操作が行われることにより，前記リモコン９ａから送信される操作信号に基づいて判断される。
ここで，前記表示モード切替キー９ｃの操作が行われたと判断されると（Ｓ３のＹｅｓ側），処理はステップＳ４に移行し，前記表示モード切替キー９ｃの操作が行われていないと判断されると（Ｓ３のＮｏ側），処理はステップＳ３１に移行する。
ステップＳ３１では，前記ステップＳ１と同様に，前記出力映像信号に複数のアングル映像が含まれているか否かが，前記制御回路１０によって判断される。
ここで，前記出力映像信号に複数のアングル映像が含まれていると判断された場合には（Ｓ３１のＹｅｓ側），前記シングル表示モードが継続されたまま，処理は前記ステップＳ３に移行する。なお，このとき，前記リモコン９ａに対して表示するアングル映像を切り替えるための操作が行われた場合には，その操作に応じて選択されたアングル映像が表示されるように制御される。
他方，前記出力映像信号に複数のアングル映像が含まれていないと判断された場合には（Ｓ３１のＮｏ側），処理は前記ステップＳ１に移行して，前記シングル表示モードが継続される。
【００２０】
そして，ステップＳ４では，前記制御回路１０によって，前記テレビジョン受像機Ｘの表示モードが，シングル表示モードからデュアルビュー表示モードに切り替えられる。ここに，前記表示モードの切替を行うときの前記制御回路１０が表示切替手段の一例である。
具体的には，まず，前記制御回路１０によって前記映像信号分離回路６１が制御されることにより，該映像信号分離回路６１では，前記デコーダ５から出力された映像信号から抽出した複数のアングル映像のうちのいずれか二つのアングル映像が出力される。以下，ここで出力された二つのアングル映像をアングル映像Ｍ１，Ｍ２という。
したがって，前記アングル映像Ｍ１は前記映像メモリ６２に，前記アングル映像Ｍ２は前記映像メモリ６３に出力されて記憶される。
その後，前記映像メモリ６２，６３各々に記憶されれたアングル映像Ｍ１，Ｍ２の画像データは，前記出力信号切換スイッチ６５によって，一画素ごとに交互に前記液晶表示装置８に出力される。これにより，前記液晶パネル８１において，前記アングル映像Ｍ１が前記液晶パネル８１の部位Ａ，前記アングル映像Ｍ２が前記液晶パネル８１の部位Ｂに出力される。したがって，前記液晶表示装置８では，二つのアングル映像Ｍ１，Ｍ２が異なる視野角で表示されることになる。このように，二つのアングル映像Ｍ１，Ｍ２を前記液晶表示装置８に表示させるための処理を実行するときの前記制御回路１０がマルチアングル表示制御手段に相当する。
【００２１】
ここに，図５は，前記ステップＳ４の処理によりデュアルビュー表示モードに切り替えられた場合の前記液晶表示装置８の表示画面の具体例を説明するための図である。ここでは，図５（ａ）に示すように，二つのアングル映像Ｍ１，Ｍ２が，ボクシングのマットを対面する二つの方向から捉えて撮影されたものであると仮定する。
この場合，前記デュアルビュー表示モードでは，図５（ｂ）に示すように，液晶パネル８１から見て左斜め前方の位置Ｐ１から見た場合には前記アングル映像Ｍ１が表示され，同時に，液晶パネル８１から見て右斜め前方の位置Ｐ２から見た場合には，前記アングル映像Ｍ１とは異なる前記アングル映像Ｍ２が表示される。
このように，前記テレビジョン受像機Ｘでは，前記アングル映像Ｍ１及び前記アングル映像Ｍ２各々が，異なる視野角で個別に，前記液晶表示装置８の液晶パネル８１に全画面表示されるため，従来のように一画面を二分割して表示する場合のように前記アングル映像Ｍ１及び前記アングル映像Ｍ２各々の表示画面を縮小させる必要がない。また，前記アングル映像Ｍ１及び前記アングル映像Ｍ２各々の視聴者は，他方の視聴者が見ている映像が見えなず，自分の見たい映像だけを見ることができるため臨場感を得ることができる。
【００２２】
但し，前記アングル映像Ｍ１と前記アングル映像Ｍ２とが時間的に同期して表示されなければ，同じ放送番組であるにもかかわらず，該アングル映像Ｍ１の視聴者と該アングル映像Ｍ２の視聴者とが異なる時点の放送番組を見ることになる。そこで，前記テレビジョン受像機Ｘでは，前記制御回路１０によって前記アングル映像Ｍ１と前記アングル映像Ｍ２とが同期して出力されるように制御される。ここに，かかる処理を実行するときの前記制御回路１０が同期表示手段に相当する。
具体的には，前記デコーダ５で抽出される前記画像関連情報に含まれたタイムスタンプ情報に基づいて，前記アングル映像Ｍ１及び前記アングル映像Ｍ２の画像データの出力タイミングを制御することにより，該アングル映像Ｍ１，Ｍ２の同期再生（表示）が実現される。
より詳細には，前記制御回路１０によって前記映像信号分離回路６１が制御されることにより，該映像信号分離回路６１では，前記アングル映像Ｍ１及び前記アングル映像Ｍ２各々において同一時刻或いは最も近いタイムスタンプ情報が付された画像データが抽出され，該二つの画像が同時に前記映像メモリ６２，６３に出力される。これにより，前記液晶表示装置８によって表示される前記アングル映像Ｍ１，Ｍ２は同期して表示されるため，該アングル映像Ｍ１，Ｍ２の視聴者各々が同じ時点の放送番組を見ることができる。
【００２３】
その後，ステップＳ５では，視聴者による前記リモコン９ａの表示モード切替キー９ｃの操作が行われたか否かが判断される。具体的には，前記表示モード切替キー９ｃの操作が行われることにより，前記リモコン９ａから送信される操作信号に基づいて判断される。
ここで，前記表示モード切替キー９ｃの操作が行われていないと判断された場合には（Ｓ５のＮｏ側），処理はステップＳ５１に移行し，前記表示モード切替キー９ｃの操作が行われたと判断された場合には（Ｓ５のＹｅｓ側），と処理は前記ステップＳ６に移行する。
ステップＳ５１では，前記ステップＳ１と同様に，前記出力映像信号に複数のアングル映像が含まれているか否かが，前記制御回路１０によって判断される。ここで，前記出力映像信号に複数のアングル映像が含まれていると判断された場合には（Ｓ５１のＹｅｓ側），処理はステップＳ５に移行し，前記出力映像信号に複数のアングル映像が含まれていないと判断された場合には（Ｓ５１のＮｏ側），処理はステップＳ６に移行する。
ステップＳ６では，前記制御回路１０によって，前記テレビジョン受像機Ｘの表示モードが，デュアルビュー表示モードからシングル表示モードに切り替えられる。ここに，前記表示モードの切替を行うときの前記制御回路１０が表示切替手段の一例である。なお，前記出力映像信号に複数のアングル映像が含まれている場合，前記シングル表示モードでは，前記リモコン９ａの操作などによって，その複数のアングル映像のうちのいずのアングル映像を表示するかの選択が可能である。
【００２４】
以上説明したように，前記テレビジョン受像機Ｘでは，一つのテレビジョン放送に複数のアングル映像が含まれている場合に，その複数のアングル映像のうちの二つを，前記液晶表示装置８にデュアルビュー表示させることができる。したがって，前記アングル映像各々の表示サイズを縮小することなく，また，異なる視野角から前記テレビジョン受像機Ｘを視聴する視聴者各々は，自分の見たいアングル映像だけを画面全体で見ることができる。また，前記複数のアングルが同期して表示されるため，異なるアングル映像を見る複数の視聴者が同じ時点の放送番組を見ることができる。
【実施例】
【００２５】
前記実施の形態では，前記出力信号切換スイッチ６５によって前記ソースドライバ８２に出力する画像を一画素ごとに切り替えることにより，前記デュアルビュー表示を実現する例について説明した。
ここでは，前記デュアルビュー表示の他の実現手法について説明する。
ここに，図６は，本発明の実施例に係るテレビジョン受像機Ｘ１の概略構成を示すブロック図である。なお，前記実施の形態で説明した前記テレビジョン受像機Ｘと同様の構成については，同じ符号を付してその説明を省略する。
図６に示すように，前記テレビジョン受像機Ｘ１は，前記出力信号切換スイッチ６５が設けられていない点，前記液晶表示装置８に二つのソースドライバ８２ａ，８２ｂが設けられている点で前記テレビジョン受像機Ｘと構成を異にする。
【００２６】
前記ソースドライバ８２ａ，８２ｂは，前記液晶パネル８１の横方向における一画素ごとの表示を制御するものである。即ち，前記ソースドライバ８２ａは，図２に示す前記液晶層９３の部位Ａを制御し，前記ソースドライバ８２ｂは，図２に示す前記液晶層９３の部位Ｂを制御するものである。
このように構成された前記テレビジョン受像機Ｘ１では，前記映像メモリ６２に記憶された前記アングル映像Ｍ１を前記ソースドライバ８２ａに出力し，前記映像メモリ６３に記憶された前記アングル映像Ｍ２を前記ソースドライバ８２ｂに出力することにより，該アングル映像Ｍ１，Ｍ２のデュアルビュー表示を実現することができる。また，このような構成においても，前記アングル映像Ｍ１及びＭ２を同期出力することができることはいうまでもない。
【図面の簡単な説明】
【００２７】
【図１】本発明の実施形態に係るテレビジョン受像機Ｘの概略構成を表すブロック図。
【図２】テレビジョン受像機Ｘに設けられた液晶表示装置８の概略構成を示す模式図。
【図３】テレビジョン受像機Ｘにおけるデュアルビュー表示モードを説明するための図。
【図４】テレビジョン受像機Ｘにおいて実行される映像表示制御処理の手順の一例を説明するためのフローチャート。
【図５】デュアルビュー表示モードにおける表示の具体例を説明するための図。
【図６】本発明の実施例に係るテレビジョン受像機の概略構成を示すブロック図。
【符号の説明】
【００２８】
Ｘ…テレビジョン受像機
２…デジタルチューナ
３…外部入力部
４…映像切替回路
５…デコーダ
６…映像処理回路
８…液晶表示装置
８１…液晶パネル
８２…ソースドライバ
８３…ゲートドライバ
８４…バックライト
９…リモコン信号受信回路
９ａ…リモコン
９ｂ…チャンネル選択キー
９ｃ…表示モード切替キー
１０…制御回路
１１…音声切替回路
１２…音声処理回路
１３…アンプ
１４…スピーカ
Ｓ１，Ｓ２，・・…処理手順（ステップ）番号
【図１】
2008022110.tif 000003
【図２】
2008022110.tif 000004
【図３】
2008022110.tif 000005
【図４】
2008022110.tif 000006
【図５】
2008022110.tif 000007
【図６】
2008022110.tif 000008